(57)【要約】【課題】他の光ケーブル通信事業者のクロージャを開けて誤った光ケーブル接続又は分岐作業をすることがないことを確実にするメカニカルクロージャを得る。【解決手段】光ケーブルの接続部又は分岐部の周囲をカバーし、この接続部又は分岐部を衝撃、及び塵埃もしくは風雨から保護するようメッセンジャーワイヤに保持する開閉可能なメカニカルクロージャ１において、光ケーブル２を敷設した通信事業者に固有の錠前手段をクロージャ本体１Ａに設ける。クロージャ本体の側面に通信事業者を識別する色のライン７を設けるか、クロージャ全体を、通信事業者を識別する色の色付きクロージャとする。さらに、錠前手段は、例えば、クロージャ本体に設けたオートロック機構付きスロット５と、このオートロック機構付きスロットに差し込んでオートロックを解錠する通信事業者識別色で着色したカードキー６とにより構成する。【選択図】図１
0003108334.tif 000002
【実用新案登録請求の範囲】
【請求項１】
光ケーブルの接続部又は分岐部の周囲をカバーし、この接続部又は分岐部を衝撃、及び塵埃もしくは風雨から保護するようメッセンジャーワイヤに保持する開閉可能なメカニカルクロージャにおいて、光ケーブルを敷設した通信事業者に固有の錠前手段をクロージャ本体に設けたことを特徴とするメカニカルクロージャ。
【請求項２】
光ケーブルを敷設した通信事業者を識別する色表示を設けた請求項１記載のメカニカルクロージャ。
【請求項３】
前記メカニカルクロージャ全体を、通信事業者を識別する色の色付きクロージャとした請求項２記載のメカニカルクロージャ。
【請求項４】
前記クロージャ本体の側面に前記通信事業者を識別する色のラインを設けた請求項２記載のメカニカルクロージャ。
【請求項５】
前記錠前手段を、前記クロージャ本体に設けたオートロック機構付きスロットと、このオートロック機構付きスロットに差し込んでオートロックを解錠するカードキーとにより構成した請求項１又は２記載のメカニカルクロージャ。
【請求項６】
前記カードキーに、前記通信事業者を識別する色表示を設けた請求項３記載のメカニカルクロージャ。
【請求項７】
前記カードキーには、作業を行うカードキーであることを識別する作業中標識カードを付随させることができるようにした請求項５又は６記載のメカニカルクロージャ。
【考案の詳細な説明】
【技術分野】
【０００１】
本考案は、光ケーブルの接続部又は分岐部の周囲をカバーし、この接続部又は分岐部を衝撃、及び塵埃もしくは風雨から保護するようメッセンジャーワイヤに保持する開閉可能なメカニカルクロージャに関するものである。
【背景技術】
【０００２】
このようなメカニカルクロージャとしては、ヒンジ連結した半割りスリーブ又はボックスを凹凸嵌め合い係止で固定したり（例えば、特許文献１参照）、結束バンドで固定したり（例えば、特許文献２参照）、雌ねじ付き突出フランジ相互をボルトで締め付けて固定したり（例えば、特許文献３参照）、バックルにより固定したり（例えば、特許文献４参照）するものがある。
【特許文献１】実開平０６‐５９８０２号公報
【特許文献２】特開平０２‐２２０２６号公報
【特許文献３】特開平０２‐７９１３１号公報
【特許文献４】特開平０８‐３３１４５号公報
【考案の開示】
【考案が解決しようとする課題】
【０００３】
しかし、光ケーブル通信が普及増大している今日、異なる通信事業者の光ケーブルが一つのメッセンジャーワイヤに共存することが多くなり、従来のような、凹凸嵌め合い、結束バンド、ボルト締め、バックル等の固定手段では、誤って他の通信事業者のクロージャを開けて接続又は分岐作業してしまう恐れがある。
【０００４】
したがって、本考案の目的は、他の光ケーブル通信事業者のクロージャを開けて誤った光ケーブル接続又は分岐作業をすることがないことを確実にするメカニカルクロージャを得るにある。
【課題を解決するための手段】
【０００５】
この目的を達成するため、本考案メカニカルクロージャは、光ケーブルを敷設した通信事業者に固有の錠前手段をクロージャ本体に設けたことを特徴とする。
【考案の効果】
【０００６】
本考案によれば、作業員が所持するある特定通信事業者の錠前手段は、この通信事業者が敷設した光ケーブルのメカニカルクロージャしか解錠することができないため、他の通信事業者のクロージャを開けて誤った接続又は分岐作業をするという誤作業は決して起こらない。
【考案を実施するための最良の形態】
【０００７】
本考案の好適な実施例においては、光ケーブルを敷設した通信事業者を識別する色表示を設ける。このようにすると、一瞥してどこの通信事業者の光ケーブルかの判別がつくようになる。この場合、メカニカルクロージャ全体を、通信事業者を識別する色の色付きクロージャとするか、又はクロージャ本体の側面に前記通信事業者を識別する色のラインを設けるようにするとよい。
【０００８】
また、本考案の好適な実施例においては、錠前手段を、クロージャ本体に設けたオートロック機構付きスロットと、このオートロック機構付きスロットに差し込んでオートロックを解錠するカードキーとにより構成する。このカードキーはクロージャの解錠が極めて簡単であり、すぐに作業に着手できる。より好適には、このカードキーに、通信事業者を識別する色表示を設け、また、作業を行うカードキーであることを識別する作業中標識カードを付随させることができるようにする。このようにすると、より一層、間違いのない作業が確実にできるようになる。
【０００９】
つぎに、図面につき本考案の好適な実施例を説明する。
【実施例１】
【００１０】
図１に、本考案の好適な実施例の光ケーブル用メカニカルクロージャ（以下、「メカクロ」と略称する）１を示す。このボックス状のメカクロ１は、光ケーブル２を敷設する際のメッセンジャーワイヤ３に懸垂固定する支持バー４に固定しうるようにし、図面で見て上方の頂面でヒンジにより開閉可能にする。このメカクロ１のボックス状空間内で、光ケーブル２の接続又は分岐を行い、この接続部又は分岐部を衝撃、及び塵埃もしくは風雨から保護するようカバーし、かつ接続部又は分岐部に引張荷重が加わらないようケーブル端部を把持する。図１では、光ケーブル２から分岐させた分岐ケーブル２ａを示す。
【００１１】
本考案によるメカクロ１は、光ケーブルを敷設した通信事業者に固有の錠前手段をクロージャ本体１Ａに設ける。図示の実施例では、この錠前手段を、例えば、メカクロ１に設けたオートロック機構付きスロット５と、このオートロック機構付きスロット５に差し込んでオートロックを解錠するカードキー６とにより構成する。オートロック機構は、メカクロ１を閉じたとき自動的に施錠される機構とする。
【００１２】
錠前手段は、カードキー形式ではなく、任意の錠前手段とすることができ、この錠前手段の施錠及び解錠部分が光ケーブルを敷設した通信事業者に固有のものであればよい。
【００１３】
さらに、一瞥してどこの通信事業者の光ケーブルかの判別がつくようにするため、クロージャ本体１Ａの側面、好適には、表裏の側面に通信事業者を識別する色の事業者識別ライン７（図示の実施例では赤色ライン７Ａ）を設ける。このような部分的なライン７ではなく、メカニカルクロージャ全体を、通信事業者を識別する色で着色したクロージャとすることもできる。例えば、Ａ社は「赤」、Ｂ社は「黄」、Ｃ社は「緑」、Ｄ社は「黒」と色表示により識別する。
【００１４】
カードキー６は、光ケーブル通信事業者を識別する色で着色しておくと好適である。図２に示すように、Ａ社は「赤」カードキー、Ｂ社は「黄」カードキー、Ｃ社は「緑」カードキーとする。さらに、図３に示すように、カードキー６には、作業を行うカードキーであることを識別する作業中標識カード８を、例えば、カラビナ付きカールストラップ９に連結してカードキー６に付随可能にすると好適である。作業中標識カード８は、例えば、「青」地のカードに白で「作業中」等の文字を記載する。
【産業上の利用可能性】
【００１５】
本考案光ケーブル用メカニカルクロージャは、光ケーブル通信に関連する事業者における光ケーブル敷設、変更、保守に利用することができる。
【図面の簡単な説明】
【００１６】
【図１】本考案光ケーブル用メカニカルクロージャの線図的説明図である。
【図２】光ケーブル通信事業者毎に異なるカードキーの線図的説明図である。
【図３】作業を行うカードキーであることを識別する作業中標識カードをカードキーに付随させる態様を示す線図的説明図である。
【符号の説明】
【００１７】
１  メカニカルクロージャ（メカクロ）
１Ａ  クロージャ本体
２  光ケーブル
２ａ  分岐ケーブル
３  メッセンジャーワイヤ
４  支持バー
５  オートロック機構付きスロット
６  カードキー
７  事業者識別ライン
８  作業中標識カード
９  カラビナ付きカールストラップ
【図１】
0003108334.tif 000003
【図２】
0003108334.tif 000004
【図３】
0003108334.tif 000005
【手続補正書】
【提出日】平成16年11月5日(2004.11.5)
【手続補正１】
【補正対象書類名】実用新案登録請求の範囲
【補正対象項目名】全文
【補正方法】変更
【補正の内容】
【実用新案登録請求の範囲】
【請求項１】
光ケーブルの接続部又は分岐部の周囲をカバーし、この接続部又は分岐部を衝撃、及び塵埃もしくは風雨から保護するようメッセンジャーワイヤに保持する開閉可能なメカニカルクロージャにおいて、錠前手段をクロージャ本体に設けたことを特徴とするメカニカルクロージャ。
【請求項２】
クロージャ本体に色表示を設けた請求項１記載のメカニカルクロージャ。
【請求項３】
前記メカニカルクロージャ全体を、色付きクロージャとした請求項２記載のメカニカルクロージャ。
【請求項４】
前記クロージャ本体の側面に色のラインを設けた請求項２記載のメカニカルクロージャ。
【請求項５】
前記錠前手段を、前記クロージャ本体に設けたオートロック機構付きスロットと、このオートロック機構付きスロットに差し込んでオートロックを解錠するカードキーとにより構成した請求項１又は２記載のメカニカルクロージャ。
【請求項６】
前記カードキーに、色表示を設けた請求項３記載のメカニカルクロージャ。
【請求項７】
前記カードキーには、作業を行うカードキーであることを識別する作業中標識カードを付随させることができるようにした請求項５又は６記載のメカニカルクロージャ。